(57)【要約】 【課題】検体に関する検査データをサーバに取り込む際の利便性を向上させる。【解決手段】検査データ取込装置７０は、通信ネットワークＮ２を介して、分析器８０から検査データを取得する。そして、検査データ取込装置７０は、ユーザ操作による操作部からの操作信号に基づいて、患者ＩＤを取得する。そして、検査データ取込装置７０は、この患者ＩＤを検索条件とする患者属性情報の取得要求を、医用画像サーバ４０、検査データ管理サーバ６０、電子カルテサーバ３０等に送信する。そして、検査データ取込装置７０は、検索条件に合致する患者属性情報を取得する。検査データ取込装置７０は、取得した患者属性情報を識別子として検査データに付与する。検査データ取込装置７０は、この検査データをＨＬ７準拠検体検査結果データとして検査データ管理サーバ６０に送信（出力）する。【選択図】図１
2010113646.tif 000002
【特許請求の範囲】
【請求項１】
患者から採取した検体に関する検査データを記憶管理する検査データ管理サーバと通信可能に接続された検査データ取込装置であって、
検査データを取得する第１取得手段と、
通信可能に接続され患者属性情報を管理する情報処理装置から当該患者属性情報を取得する第２取得手段と、
前記取得された患者属性情報を識別子として前記取得された検査データに付与し、当該検査データを前記検査データ管理サーバに出力する制御手段と、
を備える検査データ取込装置。
【請求項２】
前記第１取得手段は、可搬型記憶媒体を読み込み、当該可搬型記憶媒体から検査データを取得する、
請求項１に記載の検査データ取込装置。
【請求項３】
前記第１取得手段は、通信可能に接続された外部機器から検査データを取得する、
請求項１に記載の検査データ取込装置。
【請求項４】
前記第２取得手段は、患者属性情報の取得要求を前記情報処理装置に送信し、前記取得要求に応じた患者属性情報を取得する、
請求項１〜３の何れか一項に記載の検査データ取込装置。
【請求項５】
前記検査データ管理サーバへの検査データの出力を指示する操作手段を更に備え、
前記制御手段は、前記識別子を画面に表示させ、前記操作手段からの指示に基づき、前記識別子を付与した検査データを前記検査データ管理サーバに出力する、
請求項１〜４の何れか一項に記載の検査データ取込装置。
【請求項６】
前記患者属性情報は、患者ＩＤ及び／又は患者名を含む、
請求項１〜５の何れか一項に記載の検査データ取込装置。
【請求項７】
患者から採取した検体に関する検査データを記憶管理する検査データ管理サーバと通信可能に接続されたコンピュータを、
検査データを取得する第１取得手段、
通信可能に接続され患者属性情報を管理する情報処理装置から当該患者属性情報を取得する第２取得手段、
前記取得された患者属性情報を識別子として前記取得された検査データに付与し、当該検査データを前記検査データ管理サーバに出力する制御手段、
として機能させるためのプログラム。
【請求項８】
前記第１取得手段は、可搬型記憶媒体を読み込み、当該可搬型記憶媒体から検査データを取得する、
請求項７に記載のプログラム。
【請求項９】
前記第１取得手段は、通信可能に接続された外部機器から検査データを取得する、
請求項７に記載のプログラム。
【請求項１０】
前記第２取得手段は、患者属性情報の取得要求を前記情報処理装置に送信し、前記取得要求に応じた患者属性情報を取得する、
請求項７〜９の何れか一項に記載のプログラム。
【請求項１１】
前記コンピュータを、
前記検査データ管理サーバへの検査データの出力を指示する操作手段として更に機能させ、
前記制御手段は、前記識別子を画面に表示させ、前記操作手段からの指示に基づき、前記識別子を付与した検査データを前記検査データ管理サーバに出力する、
請求項７〜１０の何れか一項に記載のプログラム。
【請求項１２】
前記患者属性情報は、患者ＩＤ及び／又は患者名を含む、
請求項７〜１１の何れか一項に記載のプログラム。
【発明の詳細な説明】
【技術分野】
【０００１】
本発明は、検査データ取込装置及びプログラムに関する。
【背景技術】
【０００２】
病理検査や臨床検査は、患者の健康状態を把握し、病名診断を行うための重要な検査である。これらの検査では、患者から採取した血液や細胞、尿、便などの検体を検査対象とする。病理検査や臨床検査では、分析器を用いて検体を分析（検査）し、検査結果を得る。検査結果としては、検体における特性の成分量や抗体反応の有無、腫瘍マーカー値等が挙げられる。この検査結果は、患者や医療従事者の主観によらない客観的なデータである。そのため、病理検査や臨床検査において、患者を識別する必要性は低い。
【０００３】
ところで、小規模な医療施設は、分析器を備えていない場合が多い。そのため、小規模な医療施設では、分析器を備えた分析センターに検体の検査を依頼する（外注する）ことが日常的に行われている。
【０００４】
しかし、医療施設で管理している患者の識別子（患者ＩＤ）と、分析センターで管理している検体の識別子（検体ＩＤ）とは、対応付けられていなかった。そのため、分析センターに検体の検査を依頼する医療施設において、所望する検体の検査結果を参照することに手間が掛かってしまった。
【０００５】
この問題を解決する装置として、複数の分析センターにおいて別々に管理されている各検体ＩＤと、医療施設において管理されている患者ＩＤとを対応付け、検体の検査結果の参照の際の橋渡しを行う検体検査結果結合サーバが開示されている（特許文献１参照）。
【特許文献１】特開２００５−２６７３７３号公報
【発明の開示】
【発明が解決しようとする課題】
【０００６】
ところで、医療施設において、分析センターからの検査結果のデータ（検査データ）を取り込む際、この検査データに対して、患者属性（患者ＩＤや患者名）等の識別子を手入力で付与する必要があり不便であった。更に、手入力により入力ミスを引き起こす可能性もあった。
【０００７】
また、検査データに対する識別子が手入力されるまで、医療施設に検査データを取り込み、この検査データを参照することができず、時間的なロスが発生してしまった。
【０００８】
特許文献１の技術では、検査データは医療施設に取り込まれず、分析センターにおいて管理されているため、上述したような検査データを取り込む場合には対応していない。
【０００９】
本発明は、上述したような課題に鑑みて為されたものであり、その目的とするところは、検体に関する検査データをサーバに取り込む際の利便性を向上させることである。
【課題を解決するための手段】
【００１０】
上記の課題を解決するために、請求項１に記載の発明は、
患者から採取した検体に関する検査データを記憶管理する検査データ管理サーバと通信可能に接続された検査データ取込装置であって、
検査データを取得する第１取得手段と、
通信可能に接続され患者属性情報を管理する情報処理装置から当該患者属性情報を取得する第２取得手段と、
前記取得された患者属性情報を識別子として前記取得された検査データに付与し、当該検査データを前記検査データ管理サーバに出力する制御手段と、
を備える。
【００１１】
請求項２に記載の発明は、請求項１に記載の発明において、
前記第１取得手段は、可搬型記憶媒体を読み込み、当該可搬型記憶媒体から検査データを取得する。
【００１２】
請求項３に記載の発明は、請求項１に記載の発明において、
前記第１取得手段は、通信可能に接続された外部機器から検査データを取得する。
【００１３】
請求項４に記載の発明は、請求項１〜３の何れか一項に記載の発明において、
前記第２取得手段は、患者属性情報の取得要求を前記情報処理装置に送信し、前記取得要求に応じた患者属性情報を取得する。
【００１４】
請求項５に記載の発明は、請求項１〜４の何れか一項に記載の発明において、
前記検査データ管理サーバへの検査データの出力を指示する操作手段を更に備え、
前記制御手段は、前記識別子を画面に表示させ、前記操作手段からの指示に基づき、前記識別子を付与した検査データを前記検査データ管理サーバに出力する。
【００１５】
請求項６に記載の発明は、請求項１〜５の何れか一項に記載の発明において、
前記患者属性情報は、患者ＩＤ及び／又は患者名を含む。
【００１６】
請求項７に記載のプログラムは、
患者から採取した検体に関する検査データを記憶管理する検査データ管理サーバと通信可能に接続されたコンピュータを、
検査データを取得する第１取得手段、
通信可能に接続され患者属性情報を管理する情報処理装置から当該患者属性情報を取得する第２取得手段、
前記取得された患者属性情報を識別子として前記取得された検査データに付与し、当該検査データを前記検査データ管理サーバに出力する制御手段、
として機能させる。
【００１７】
請求項８に記載の発明は、請求項７に記載の発明において、
前記第１取得手段は、可搬型記憶媒体を読み込み、当該可搬型記憶媒体から検査データを取得する。
【００１８】
請求項９に記載の発明は、請求項７に記載の発明において、
前記第１取得手段は、通信可能に接続された外部機器から検査データを取得する。
【００１９】
請求項１０に記載の発明は、請求項７〜９の何れか一項に記載の発明において、
前記第２取得手段は、患者属性情報の取得要求を前記情報処理装置に送信し、前記取得要求に応じた患者属性情報を取得する。
【００２０】
請求項１１に記載の発明は、請求項７〜１０の何れか一項に記載の発明において、
前記コンピュータを、
前記検査データ管理サーバへの検査データの出力を指示する操作手段として更に機能させ、
前記制御手段は、前記識別子を画面に表示させ、前記操作手段からの指示に基づき、前記識別子を付与した検査データを前記検査データ管理サーバに出力する。
【００２１】
請求項１２に記載の発明は、請求項７〜１１の何れか一項に記載の発明において、
前記患者属性情報は、患者ＩＤ及び／又は患者名を含む。
【発明の効果】
【００２２】
請求項１、７に記載の発明によれば、検査データ取込装置は、検査データを取得する。また、検査データ取込装置は、患者属性情報を管理する情報管理装置から患者属性情報を取得する。そして、検査データ取込装置は、取得した患者属性情報を識別子として、取得した検査データに付与する。検査データ取込装置は、この検査データを検査データ管理サーバに出力する。
【００２３】
そのため、ユーザは、検体に関する検査データをサーバに取り込む際の利便性を向上させることができる。また、情報管理装置において管理されている患者属性情報を識別子とするため、取り込んだ検査データの管理が容易である。
【００２４】
請求項２、８に記載の発明によれば、検査データ取込装置は、可搬型記憶媒体から検査データを取得する。そのため、可搬型記憶媒体からサーバに検査データを取り込む際の利便性を向上させることができる。
【００２５】
請求項３、９に記載の発明によれば、検査データ取込装置は、通信可能に接続された外部機器から検査データを取得する。そのため、外部機器からサーバに検査データを取り込む際の利便性を向上させることができる。
【００２６】
請求項４、１０に記載の発明によれば、検査データ取込装置は、患者属性情報の取得要求を情報処理装置に送信する。そして、検査データ取込装置は、取得要求に応じた患者属性情報を取得する。そのため、ユーザは、取得要求を生成し送信するための手入力のみを行えばよく、検体に関する検査データをサーバに取り込む際の利便性を更に向上させることができる。
【００２７】
請求項５、１１に記載の発明によれば、検査データ取込装置は、識別子を画面に表示させる。そして、検査データ取込装置は、操作手段からの指示に基づき、この識別子を付与した検査データを検査データ管理サーバに出力する。そのため、ユーザは、検査データへの付与前に識別子を確認することができる。
【００２８】
請求項６、１２に記載の発明によれば、患者ＩＤ及び／又は患者名に基づいて、サーバに取り込んだ検査データを識別することができる。
【発明を実施するための最良の形態】
【００２９】
[第１の実施の形態]
以下、本発明の第１の実施の形態について説明する。
【００３０】
[診断システムのシステム構成]
図１に、診断システム１００のシステム構成を示す。
【００３１】
診断システム１００は、開業医やクリニック等の比較的小規模の医療施設に適用される。診断システム１００は、医事会計システム１０と、クライアントＰＣ２０と、電子カルテサーバ３０と、医用画像サーバ４０と、モダリティ５０と、検査データ管理サーバ６０と、検査データ取込装置７０と、から構成されている。上記の各装置及びシステムはＬＡＮ（Local Area Network）等の通信ネットワークＮ１を介してデータ通信可能に接続されている。更に、上記の各装置及びシステムは、インターネット等の通信ネットワークＮ２を介して分析センターに設置された分析器８０とデータ通信可能に接続されている。
【００３２】
モダリティ５０は、患者の診断対象部位を被写体として撮影を行い、撮影した画像をデジタル変換して医用画像を生成する画像生成装置である。医用画像は、医療の分野で読影診断に用いられる画像である。モダリティ５０は、生成した医用画像に付帯情報を付帯させ、ＤＩＣＯＭ規格に則ったＤＩＣＯＭ画像ファイルを生成する。付帯情報には、患者の属性を示す患者属性情報が含まれる。モダリティ５０は、生成したＤＩＣＯＭ画像ファイルを医用画像サーバ４０に送信する。モダリティ５０としては、超音波診断装置（ＵＳ）やＦＰＤ（Flat Panel Detector）等が適用可能である。
【００３３】
医用画像サーバ４０は、モダリティ５０において生成されたＤＩＣＯＭ画像ファイルを記憶し、管理する（記憶管理する）情報処理装置である。医用画像サーバ４０としてＰＡＣＳ（Picture Archiving and Communication System）等が適用可能である。
【００３４】
医用画像サーバ４０は、外部機器から医用画像取得要求を受信した場合、当該取得要求に応じたＤＩＣＯＭ画像ファイルを当該外部機器に送信（提供）する。医用画像サーバ４０は、外部機器から患者属性情報取得要求を受信した場合、この取得要求に応じた患者属性情報をＤＩＣＯＭ画像ファイルから読み出し、外部機器に送信（提供）する。
【００３５】
分析器８０は、患者から採取した血液や尿等の検体を分析（検査）し、分析結果としての検査データを生成する。検査データには、一又は複数の検査項目が含まれる。例えば、検体が血液である場合、検査データには、「総蛋白」「ＧＯＴ」「ＧＰＴ」「ＬＤＨ」等の項目が含まれる。分析器８０は、生成した検査データを通信ネットワークＮ２を介して検査データ取込装置７０に送信する。分析センターでは、各医療施設からの検査依頼に応じて、これらの医療施設から持ち込まれた検体を分析器８０により分析し、分析結果である検査データを提供する。
【００３６】
検査データ取込装置７０は、後述する検査データ管理サーバ６０に検査データを取り込むための装置である。検査データ取込装置７０は、通信ネットワークＮ２を介して分析器８０から検査データを受信する。検査データ取込装置７０は、受信した検査データに対して各種処理を施し、この検査データを、ＨＬ７規格に則ったＨＬ７準拠検体検査結果データとして検査データ管理サーバ６０に送信する。この各種処理の一つとして、検査データ取込装置７０は、検査データに識別子を付与する。
【００３７】
検査データ取込装置７０は、医用画像サーバ４０、検査データ管理サーバ６０、電子カルテサーバ３０等に対して、検索条件を含んだ患者属性情報の取得要求を送信し、検索条件に合致する患者属性情報を医用画像サーバ４０、検査データ管理サーバ６０、電子カルテサーバ３０等から取得する。検査データ取込装置７０は、取得した患者属性情報を識別子として検査データに付与する。医用画像サーバ４０、検査データ管理サーバ６０、電子カルテサーバ３０は、患者属性情報を管理する情報処理装置である。
【００３８】
検査データ管理サーバ６０は、検査データ取込装置７０から送信（出力）されたＨＬ７準拠検体検査結果データを記憶し、管理する（記憶管理する）情報処理装置である。検査データ管理サーバ６０は、外部機器から検査データ取得要求を受信した場合、この取得要求に応じたＨＬ７準拠検体検査結果データを外部機器に送信（提供）する。検査データ管理サーバ６０は、外部機器から患者属性情報取得要求を受信した場合、この取得要求に応じた患者属性情報をＨＬ７準拠検体検査結果データから抽出し、外部機器に送信（提供）する。
【００３９】
図２に、検査データのデータフローを示す。まず、分析センターに設置された分析器８０において、検査データが生成される。次に、検査データは、通信ネットワークＮ２を介して検査データ取込装置７０に送信される。次に、検査データは、検査データ取込装置７０において、医用画像サーバ４０、検査データ管理サーバ６０、電子カルテサーバ３０等から送信された患者属性情報を識別子として付与され、ＨＬ７準拠検体検査結果データとして検査データ管理サーバ６０に送信される。そして、検査データは、ＨＬ７準拠検体検査結果データとして検査データ管理サーバ６０に記憶管理される。
【００４０】
図１に戻り、医事会計システム１０は、来院した患者の受付登録、会計計算、保険点数計算等を行うためのコンピュータ装置である。医事会計システム１０は、ユーザの操作により来院した患者の受付登録を行うと、来院情報を生成する。医事会計システム１０は、生成した来院情報を記憶し管理する（記憶管理する）。医事会計システム１０は、生成した来院情報を電子カルテサーバ３０に送信する。来院情報は、患者の来院日時や保険証番号等を示す情報である。来院情報は、来院した患者の属性を示す患者属性情報を含む。
【００４１】
医事会計システム１０は、電子カルテサーバ３０から処方データを受信（取得）する。処方データとは、診断の処置内容や患者に処方する薬等を示す情報である。処方データは、患者の属性を示す患者属性情報を含む。医事会計システム１０は、受信した処方データと生成した来院情報とに基づいて、来院した患者の会計計算や保険点数計算を行う。
【００４２】
電子カルテサーバ３０は、クライアントＰＣ２０において作成された診療録データ（患者の病状や診断結果等の情報）や処方データを記憶し、管理する（記憶管理する）情報処理装置である。電子カルテサーバ３０は、医事会計システム１０から受信した来院情報を記憶し、管理する（記憶管理する）。電子カルテサーバ３０は、記憶管理している処方データを医事会計システム１０に送信する。
【００４３】
電子カルテサーバ３０は、外部機器から来院情報取得要求を受信した場合、この取得要求に応じた来院情報を外部機器に送信（提供）する。電子カルテサーバ３０は、外部機器から患者属性情報取得要求を受信した場合、この取得要求に応じた患者属性情報を来院情報、診療録データ、処方データ等から読み出し、外部機器に送信（提供）する。
【００４４】
クライアントＰＣ２０は、電子カルテサーバ３０、医用画像サーバ４０、検査データ管理サーバ６０等のクライアント端末である。クライアントＰＣ２０は、医療施設の診療室等に設置される。医師は、クライアントＰＣ２０を利用して患者の診断を行う。
【００４５】
クライアントＰＣ２０は、ユーザの操作による操作信号等に基づき、医用画像サーバ４０に医用画像取得要求を送信し、当該取得要求に応じたＤＩＣＯＭ画像ファイルを取得する。クライアントＰＣ２０は、当該ＤＩＣＯＭ画像ファイルに格納されているデータに基づき画面に医用画像を表示する。
【００４６】
クライアントＰＣ２０は、ユーザの操作による操作信号等に基づき、検査データ管理サーバ６０に検査データ取得要求を送信し、当該取得要求に応じたＨＬ７準拠検体検査結果データを取得する。クライアントＰＣ２０は、当該ＨＬ７準拠検体検査結果データに基づき画面に検査データを表示する。
【００４７】
クライアントＰＣ２０は、ユーザの操作による操作信号等に基づき、電子カルテサーバ３０に来院情報取得要求を送信し、当該取得要求に応じた来院情報を取得する。
【００４８】
クライアントＰＣ２０は診療録データ作成機能を有する。クライアントＰＣ２０は、ユーザの操作による操作信号や、電子カルテサーバ３０から取得した来院情報等に基づき、診療録データや処方データを作成する。クライアントＰＣ２０は、作成した診療録データや処方データを電子カルテサーバ３０に送信する。電子カルテサーバ３０は、送信された診療録データや処方データを保存する。
【００４９】
[検査データ管理サーバの機能的構成]
図３に、検査データ管理サーバ６０の機能的構成を示す。
【００５０】
図３に示すように、検査データ管理サーバ６０は、制御部６１、操作部６２、表示部６３、通信部６４、記憶部６５を備えて構成され、各部はバス６６により接続されている。
【００５１】
制御部６１は、ＣＰＵ（Central Processing Unit）、ＲＡＭ（Random Access Memory）等から構成され、検査データ管理サーバ６０の各部の処理動作を統括的に制御する。具体的には、ＣＰＵは、操作部６２から入力される操作信号又は通信部６４により受信される指示信号に応じて、記憶部６５に記憶されている各種処理プログラムを読み出し、ＲＡＭ内に形成されたワークエリアに展開し、当該プログラムとの協働により各種処理を行う。
【００５２】
操作部６２は、カーソルキー、数字入力キー、及び各種機能キー等を備えたキーボードと、マウス等のポインティングデバイスを備えて構成され、キーボードに対するキー操作やマウス操作により入力された操作信号を制御部６１に出力する。
【００５３】
表示部６３は、ＬＣＤ（Liquid Crystal Display）により構成され、制御部６１から入力される表示データに基づいて各種画面を表示する。
【００５４】
通信部６４は、ＬＡＮ（Local Area Network）アダプタ、ルータ、ＴＡ（Terminal Adapter）等を備え、通信ネットワークＮ１を介して接続された検査データ取込装置７０、クライアントＰＣ２０等の外部機器との間でデータの送受信を行う。
【００５５】
記憶部６５は、ハードディスク等から構成され、制御プログラム、当該プログラムの実行に必要なパラメータやファイル等を記憶している。また、記憶部６５は、一又は複数のＨＬ７準拠検体検査結果データを記憶する。また、記憶部６５は、ＨＬ７準拠検体検査結果データを管理するデータベースプログラムを記憶する（図示せず）。
【００５６】
制御部６１は、記憶部６５に記憶されたデータベースプログラムと協働して、記憶部６５に記憶されているＨＬ７準拠検体検査結果データを管理する。
【００５７】
制御部６１は、通信部６４を介して、検査データ取込装置７０からＨＬ７準拠検体検査結果データを受信すると、当該ＨＬ７準拠検体検査結果データを記憶部６５に記憶させ、データベースに登録する（管理する）。
【００５８】
制御部６１は、通信部６４を介して、外部機器から検査データ取得要求を受信すると、当該検査データ取得要求に応じたＨＬ７準拠検体検査結果データを記憶部６５から読み出す。そして、制御部６１は、通信部６４を介して、当該読み出したＨＬ７準拠検体検査結果データを外部機器に送信（提供）する。
【００５９】
制御部６１は、通信部６４を介して、外部機器から患者属性情報取得要求を受信すると、当該取得要求に応じた患者属性情報を記憶部６５に記憶されたＨＬ７準拠検体検査結果データから抽出する。そして、制御部６１は、通信部６４を介して、当該抽出した患者属性情報を外部機器に送信（提供）する。
【００６０】
[検査データ取込装置の機能的構成]
図４に、検査データ取込装置７０の機能的構成を示す。
【００６１】
図４に示すように、検査データ取込装置７０は、制御部７１、操作部７２、表示部７３、通信部７４、記憶部７５を備えて構成され、各部はバス７６により接続されている。
【００６２】
制御部７１は、ＣＰＵ、ＲＡＭ等から構成され、検査データ取込装置７０の各部の処理動作を統括的に制御する。具体的には、ＣＰＵは、操作部７２から入力される操作信号又は通信部７４により受信される指示信号に応じて、記憶部７５に記憶されている各種処理プログラムを読み出し、ＲＡＭ内に形成されたワークエリアに展開し、当該プログラムとの協働により各種処理を行う。
【００６３】
操作部７２は、カーソルキー、数字入力キー、及び各種機能キー等を備えたキーボードと、マウス等のポインティングデバイスを備えて構成され、キーボードに対するキー操作やマウス操作により入力された操作信号を制御部７１に出力する。
【００６４】
表示部７３は、ＬＣＤにより構成され、制御部７１から入力される表示データに基づいて各種画面を表示する。
【００６５】
通信部７４は、ＬＡＮアダプタ、ルータ、ＴＡ等を備え、通信ネットワークＮ１を介して接続された検査データ管理サーバ６０、医用画像サーバ４０、電子カルテサーバ３０、通信ネットワークＮ１及び通信ネットワークＮ２を介して接続された分析器８０等の外部機器との間でデータの送受信を行う。
【００６６】
記憶部７５は、ハードディスク等から構成され、制御プログラム、当該プログラムの実行に必要なパラメータやファイル等を記憶している。また、記憶部７５は、検査データ取込プログラム７５１を記憶している。
【００６７】
制御部７１は、検査データ取込プログラム７５１と協働して、次のように機能する。即ち、制御部７１は、通信部７４を介して、分析器８０から検査データを受信（取得）する。また、制御部７１は、通信部７４を介して、検査データ管理サーバ６０、医用画像サーバ４０、電子カルテサーバ３０等に対して患者属性情報取得要求を送信し、この取得要求に応じた患者属性情報を取得する。制御部７１は、取得した患者属性情報を識別子として検査データに付与する。そして、制御部７１は、この検査データをＨＬ７準拠検体検査結果データとして検査データ管理サーバ６０に通信部７４を介して送信（出力）する。
【００６８】
図５に、検査データのデータ構成と、ＨＬ７準拠検体検査結果データのデータ構成を示す。
【００６９】
図５に示すように、検査データは、検体識別情報、容器識別情報及び結果識別情報を含む。検体識別情報は、検体ＩＤ、採取方法、採取量、採取日時、受領日時等の検体に関する情報である。容器識別情報は、容器ＩＤ、容器容積、添加物、希釈率、温度等の容器に関する情報である。結果識別情報は、検査項目、検査値、単位、基準値、実施者、分析日時、装置ＩＤ等の検査結果に関する情報である。
【００７０】
ＨＬ７準拠検体検査結果データは、ヘッダ情報、患者識別情報（患者属性情報）、来院識別情報（来院情報）、検体識別情報、容器識別情報、結果識別情報及び検査識別情報を含む。患者識別情報は、患者ＩＤ、患者名、生年月日、性別等の患者に関する情報（患者属性情報）である。来院識別情報は、来院番号、来院日時、患者ＩＤ、保険証番号等の患者の来院に関する情報（来院情報）である。検査識別情報は、検査目的、検査内容、取込日時等の検査に関する情報である。
【００７１】
図４に戻り、制御部７１は、分析器８０から検査データ（検査識別情報、容器識別情報及び結果識別情報）を受信すると、この検査データにヘッダ情報、患者識別情報、来院識別情報、検査識別情報等を加えてＨＬ７準拠検体検査結果データを生成する。ここで、患者識別情報、来院識別情報、検査識別情報は空のデータ（無効値）である。
【００７２】
次に、制御部７１はユーザ操作による操作部７２からの操作信号に基づき、「患者ＩＤ」の値（有効値）を取得する。例えば、制御部７１は、「患者ＩＤ」の値「０００００００００１」を取得する。
【００７３】
次に、制御部７１は、取得した患者ＩＤの値を検索条件として患者属性情報取得要求を生成する。即ち、制御部７１は、検索条件を「患者ＩＤ：０００００００００１」として患者属性情報取得要求を生成する。ここで、「患者ＩＤ：０００００００００１」とは、患者ＩＤが０００００００００１である患者属性情報のことである。
【００７４】
次に、制御部７１は、生成した患者属性情報取得要求を、医用画像サーバ４０、検査データ管理サーバ６０、電子カルテサーバ３０に通信部７４を介して送信する。各サーバ（情報処理装置）は、取得要求に応じた患者属性情報（患者ＩＤが０００００００００１である患者属性情報）を記憶していれば、この患者属性情報を検査データ取込装置７０に送信する。
【００７５】
制御部７１は、取得要求に応じた患者属性情報を通信部７４を介して受信（取得）すると、取得した患者属性情報に含まれる「患者ＩＤ」「患者名」の値を、検査データに加えた患者識別情報に含まれる「患者ＩＤ」「患者名」の値に反映する（付与する）。ここでは、取得した患者属性情報に含まれる「患者名」の値が「Yukawa^Manabu」であるとする。また、制御部７１は、取得した患者属性情報に含まれる「生年月日」「性別」等の値を、検査データに加えた患者識別情報に含まれる「生年月日」「性別」等の値に反映する（付与する）。この「患者ＩＤ」「患者名」等のような患者属性情報は検査データの識別子である。
【００７６】
次に、制御部７１は、ＨＬ７準拠検体検査結果データを検査データ管理サーバ６０に通信部７４を介して送信する。
【００７７】
[診断システムにおける各装置の具体的な動作]
次に、診断システム１００において実行される各装置の具体的な動作について、図６を用いて説明する。
【００７８】
まず、医師が、医療施設に来院した患者に対して検体検査が必要であると判断した場合、患者から検体を採取する。そして、この検体は、容器に格納されて分析センターに送られる。
【００７９】
分析センターに設置された分析器８０は、この検体を分析し、検査項目毎に結果を取得し、検査データを生成する（ステップＳ１）。例えば、検体が血液の場合、検査データの結果識別情報には、複数の検査項目「総蛋白」「ＧＯＴ」「ＧＰＴ」「ＬＤＨ」が含まれる。そして、結果識別情報には、これらの各検査項目に対応する「検査値」「単位」「基準値」「実施者」「分析日時」「装置ＩＤ」が含まれる。
【００８０】
次に、分析器８０は、生成した検査データを通信ネットワークＮ２を介して検査データ取込装置７０に送信する（ステップＳ２）。
【００８１】
検査データ取込装置７０の制御部７１は、受信した検査データに空のデータである患者識別情報等を加えて、ＨＬ７準拠検体検査結果データを生成する。制御部７１は、ＨＬ７準拠検体検査結果データに基づいて、検査結果表示画面７３１（図７（ａ）参照）を表示部７３に表示する（ステップＳ３）。検査結果表示画面７３１は、検査データ（検査結果）を表示する画面である。
【００８２】
図７（ａ）に検査結果表示画面７３１の画面例を示す。図７（ａ）に示すように、検査結果表示画面７３１には、検査データに含まれる検体識別情報に基づいて検体管理番号（「検体ＩＤ」に対応）、検体採取日時（「採取日時」に対応）が表示される。また、検査結果表示画面７３１には、検査データに含まれる結果識別情報に基づいて検査項目「総蛋白」、「ＧＯＴ」、「ＧＰＴ」、「ＬＤＨ」に対応する「検査値」が表示される。また、検査結果表示画面７３１には、患者識別情報の「患者ＩＤ」「患者名」の値を表示及び入力する為の患者ＩＤ表示領域ｅ１、患者名表示領域ｅ２が表示される。ここで、患者識別情報は、空のデータなので患者ＩＤ表示領域ｅ１、患者名表示領域ｅ２は、それぞれ空欄となる。
【００８３】
また、検査結果表示画面７３１には、検索ボタンｂ１が表示される。検索ボタンｂ１は、患者ＩＤ表示領域ｅ１に入力された患者ＩＤの値を検索条件とする患者属性情報取得要求を生成し、この取得要求を検査データ管理サーバ６０、医用画像サーバ４０、電子カルテサーバ３０等に送信し、取得要求に応じた患者属性情報を取得するためのボタンである。
【００８４】
図６に戻り、ユーザは、検査結果表示画面７３１の患者ＩＤ表示領域ｅ１に患者ＩＤを入力する。そして、ユーザは、検索ボタンｂ１を押下する。
【００８５】
制御部７１は、このユーザ操作による操作部７２からの操作信号に基づき、検査結果表示画面７３１の患者ＩＤ表示領域ｅ１に入力された患者ＩＤの値「０００００００００１」を取得する（ステップＳ４）。制御部７１は、この患者ＩＤの値を検索条件とする患者属性情報取得要求を生成する。そして、制御部７１は、この取得要求を検査データ管理サーバ６０、医用画像サーバ４０、電子カルテサーバ３０等に送信し、取得要求に応じた患者属性情報を検索し、取得する（ステップＳ５、Ｓ６、Ｓ７、Ｓ８）。
【００８６】
そして、制御部７１は、ステップＳ５において取得した患者属性情報に含まれる「患者名」の値「Yukawa^Manabu」を表示部７３に表示する。具体的に、この値は、検査結果表示画面７３１の患者名表示領域ｅ２に表示される。
【００８７】
図７（ｂ）に、ステップＳ５において取得した患者属性情報に含まれる「患者名」の値が表示される検査結果表示画面７３１の画面例を示す。図７（ｂ）に示すように、患者名表示領域ｅ２には、取得した患者属性情報に含まれる「患者名」の値「Yukawa^Manabu」が表示される。また、患者ＩＤ表示領域ｅ１には、ユーザ操作によって入力された「患者ＩＤ」の値「０００００００００１」が表示される。
【００８８】
また、検査結果表示画面７３１には、新たに送信ボタンｂ２が表示される。送信ボタンｂ２は、ステップＳ５において取得した患者属性情報を、ＨＬ７準拠検体検査結果データに含まれる患者識別情報に反映し、このＨＬ７準拠検体検査結果データを検査データ管理サーバ６０に送信するためのボタンである。この送信ボタンｂ２を設けることで、ユーザは、識別子を検査データに付与する前に、付与する識別子を確認することができる。
【００８９】
図６に戻り、医師等のユーザは、検査結果表示画面７３１の患者名表示領域ｅ２に表示されている「患者名」を確認し、送信ボタンｂ２を押下する。制御部７１は、このユーザ操作による操作部７２からの操作信号に基づき、ステップＳ５において取得した患者属性情報を、ＨＬ７準拠検体検査結果データに含まれる患者識別情報に反映する。即ち、制御部７１は、取得した患者属性情報を識別子として検査データに付与する（ステップＳ９）。そして、制御部７１は、このＨＬ７準拠検体検査結果データを検査データ管理サーバ６０に送信する（ステップＳ１０）。
【００９０】
検査データ管理サーバ６０の制御部６１は、通信部６４を介して、検査データ取込装置７０からＨＬ７準拠検体検査結果データを受信すると、このＨＬ７準拠検体検査結果データを記憶部６５に記憶させ（保存し）、データベースに登録する（ステップＳ１１）。
【００９１】
医師は、クライアントＰＣ２０において、ステップＳ９で付与された患者ＩＤや患者名に基づいてＨＬ７準拠検体検査結果データを検索する旨のユーザ操作を行う。クライアントＰＣ２０は、ステップＳ９で付与された患者ＩＤや患者名を含む検査データ取得要求を生成し、検査データ管理サーバ６０に送信する。検査データ管理サーバ６０の制御部６１は、受信した検査データ取得要求に含まれる患者ＩＤや患者名に基づいて、取得要求に応じたＨＬ７準拠検体検査結果データを記憶部６５から読み出す。そして、制御部６１は、当該読み出したＨＬ７準拠検体検査結果データをクライアントＰＣ２０に送信する。クライアントＰＣ２０は、このＨＬ７準拠検体検査結果データを受信（取得）する。
【００９２】
クライアントＰＣ２０は、ユーザの操作による操作信号に基づいて、ＨＬ７準拠検体検査結果データに基づく検査データを画面に表示する。
【００９３】
以上、第１の実施の形態によれば、検査データ取込装置７０の制御部７１は、通信部７４を介して、分析器８０から検査データを取得する。そして、制御部７１は、ユーザ操作による操作部７２からの操作信号に基づいて、患者ＩＤを取得する。そして、制御部７１は、この患者ＩＤを検索条件とする患者属性情報の取得要求を、医用画像サーバ４０、検査データ管理サーバ６０、電子カルテサーバ３０等に、通信部７４を介して送信する。制御部７１は、通信部７４を介して、検索条件に合致する患者属性情報を取得する。制御部７１は、取得した患者属性情報を識別子として検査データに付与する。制御部７１は、通信部７４を介して、この検査データをＨＬ７準拠検体検査結果データとして検査データ管理サーバ６０に送信（出力）する。
【００９４】
このため、ユーザは、分析器８０から送信される検査データを検査データ管理サーバ６０に取り込む際、患者ＩＤを入力するのみで、診断システム１００内において管理されている患者属性情報の中から、入力された患者ＩＤを持つ患者属性情報を得て、識別子としてこの患者属性情報を検査データに付与させることができる。より具体的には、ユーザは、患者ＩＤを入力するのみで、この患者ＩＤに関連する「患者名」「年齢」「性別」等を得て、検査データに付与させることができる。よって、検査データを検査データ管理サーバ６０に取り込む際の利便性を向上させることができる。
【００９５】
また、検査データは、診断システム１００に取り込まれる。そのため、ユーザは、自システム（診断システム１００）内において、検査データ取込装置７０により付与された識別子に基づいて、所望の検査データを参照することができる。
【００９６】
尚、本実施の形態において、検査データ取込装置７０は、患者ＩＤに関連する「患者名」「年齢」「性別」等を医用画像サーバ４０、検査データ管理サーバ６０、電子カルテサーバ３０等から取得するとしたが、これらの情報の他に、患者ＩＤに関連する来院情報等を取得することとしてもよい。そして、検査データ取込装置７０は、取得した来院情報等を識別子として検査データに付与することとしてもよい。
【００９７】
[第２の実施の形態]
次に、本発明の第２の実施の形態について説明する。第２の実施の形態では、検査データ取込装置７０が、通信ネットワークＮ２を介して分析器８０から検査データを受信する代わりに、検査データ取込装置７０が、可搬型記憶媒体から検査データを読み込む構成となっている。ここでは主に、第１の実施の形態と異なる構成について説明する。
【００９８】
[診断システムのシステム構成]
図８に、診断システム１００のシステム構成を示す。
【００９９】
診断システム１００は、医事会計システム１０と、クライアントＰＣ２０と、電子カルテサーバ３０と、医用画像サーバ４０と、モダリティ５０と、検査データ管理サーバ６０と、検査データ取込装置７０と、から構成されている。上記の各装置及びシステムはＬＡＮ（Local Area Network）等の通信ネットワークＮ１を介してデータ通信可能に接続されている。また、分析センターには、分析器８０が設置されている。
【０１００】
分析器８０は、患者から採取した血液や尿等の検体を分析（検査）し、分析結果としての検査データを生成する。分析器８０は、生成した検査データを可搬型記憶媒体であるメディアＭに書き込む。メディアＭとして、ＣＤ−Ｒ、フロッピー（登録商標）ディスク等が適用可能である。分析センターでは、各医療施設からの検査依頼に応じて、これらの医療施設から持ち込まれた検体を分析器８０により分析し、検査データが書き込まれたメディアＭを各医療施設に提供する。
【０１０１】
検査データ取込装置７０は、メディアＭから検査データを読み出す。検査データ取込装置７０は、読み出した検査データに対して各種処理を施し、この検査データをＨＬ７準拠検体検査結果データとして検査データ管理サーバ６０に送信する。この各種処理の一つとして、検査データ取込装置７０は、検査データに識別子を付与する。
【０１０２】
図９に、検査データのデータフローを示す。まず、分析センターに設置された分析器８０において、検査データが生成される。次に、分析器８０において、検査データがメディアＭに書き込まれる。このメディアＭは、医療施設の診断システム１００に移送される。そして、検査データ取込装置７０において、検査データは、メディアＭから読み出される。そして、検査データは、検査データ取込装置７０において、医用画像サーバ４０、検査データ管理サーバ６０、電子カルテサーバ３０等から送信された患者属性情報を識別子として付与され、ＨＬ７準拠検体検査結果データとして検査データ管理サーバ６０に送信される。そして、検査データは、ＨＬ７準拠検体検査結果データとして検査データ管理サーバ６０に記憶管理される。
【０１０３】
[検査データ取込装置の機能的構成]
図１０に、検査データ取込装置７０の機能的構成を示す。
【０１０４】
図１０に示すように、検査データ取込装置７０は、制御部７１、操作部７２、表示部７３、通信部７４、記憶部７５、メディアドライブ７７を備えて構成され、各部はバス７６により接続されている。
【０１０５】
メディアドライブ７７は、制御部７１からの制御信号に基づき、可搬型記憶媒体であるメディアＭに各種データを書き込む。また、メディアドライブ７７は、制御部７１からの制御信号に基づき、メディアＭに記憶されているデータを読み出す。
【０１０６】
制御部７１は、検査データ取込プログラム７５１と協働して、次のように機能する。即ち、制御部７１は、メディアドライブ７７を介して、メディアＭから検査データを読み出す（取得する）。また、制御部７１は、通信部７４を介して、検査データ管理サーバ６０、医用画像サーバ４０、電子カルテサーバ３０等に対して患者属性情報取得要求を送信し、この取得要求に応じた患者属性情報を取得する。制御部７１は、取得した患者属性情報を識別子として検査データに付与する。そして、制御部７１は、この検査データをＨＬ７準拠検体検査結果データとして検査データ管理サーバ６０に通信部７４を介して送信（出力）する。尚、制御部７１が、検査データに識別子を付与する処理については、第１の実施の形態に記載の処理と同様である。
【０１０７】
以上、第２の実施の形態によれば、検査データ取込装置７０の制御部７１は、メディアドライブ７７を介して、メディアＭから検査データを取得する。そして、制御部７１は、ユーザ操作による操作部７２からの操作信号に基づいて、患者ＩＤを取得する。そして、制御部７１は、この患者ＩＤを検索条件とする患者属性情報の取得要求を、医用画像サーバ４０、検査データ管理サーバ６０、電子カルテサーバ３０等に、通信部７４を介して送信する。制御部７１は、通信部７４を介して、検索条件に合致する患者属性情報を取得する。制御部７１は、取得した患者属性情報を識別子として検査データに付与する。制御部７１は、通信部７４を介して、この検査データをＨＬ７準拠検体検査結果データとして検査データ管理サーバ６０に送信（出力）する。
【０１０８】
このため、ユーザは、メディアＭに記憶されている検査データを検査データ管理サーバ６０に取り込む際、患者ＩＤを入力するのみで、診断システム１００内において管理されている患者属性情報の中から、入力された患者ＩＤを持つ患者属性情報を得て、識別子としてこの患者属性情報を検査データに付与させることができる。より具体的には、ユーザは、患者ＩＤを入力するのみで、この患者ＩＤに関連する「患者名」「年齢」「性別」等を得て、検査データに付与させることができる。よって、検査データを検査データ管理サーバ６０に取り込む際の利便性を向上させることができる。
【０１０９】
尚、第１、第２の実施の形態における記述は、本発明に係る検査データ取込装置の一例であり、これに限定されるものではない。システム及び各装置の細部構成及び細部動作に関しても適宜変更可能である。
【０１１０】
また、本実施の形態では、プログラムを格納したコンピュータ読み取り可能な媒体として可搬型記憶媒体やハードディスクを使用した例を開示したが、この例に限定されない。その他のコンピュータ読み取り可能な媒体として、フラッシュメモリ等の不揮発性メモリ等を適用することが可能である。また、プログラムのデータを通信回線を介して提供する媒体として、キャリアウェーブ（搬送波）も適用可能である。
【図面の簡単な説明】
【０１１１】
【図１】本発明の第１の実施の形態における診断システムのシステム構成図である。
【図２】本発明の第１の実施の形態における検査データのデータフローを示す図である。
【図３】検査データ管理サーバのブロック図である。
【図４】本発明の第１の実施の形態における検査データ取込装置のブロック図である。
【図５】検査データ及びＨＬ７準拠検体検査結果データのデータ構成図である。
【図６】診断システムにおいて実行される処理を示すラダーチャートである。
【図７】検査結果表示画面の画面例である。
【図８】本発明の第２の実施の形態における診断システムのシステム構成図である。
【図９】本発明の第２の実施の形態における検査データのデータフローを示す図である。
【図１０】本発明の第２の実施の形態における検査データ取込装置のブロック図である。
【符号の説明】
【０１１２】
１０      医事会計システム
２０      クライアントＰＣ
３０      電子カルテサーバ
４０      医用画像サーバ
５０      モダリティ
６０      検査データ管理サーバ
６１      制御部
６２      操作部
６３      表示部
６４      通信部
６５      記憶部
６６      バス
７０      検査データ取込装置
７１      制御部
７２      操作部
７３      表示部
７４      通信部
７５      記憶部
７６      バス
７７      メディアドライブ
８０      分析器
１００    診断システム
７３１    検査結果表示画面
７５１    検査データ取込プログラム
Ｍ        メディア
Ｎ１        通信ネットワーク
Ｎ２        通信ネットワーク
【図１】
2010113646.tif 000003
【図２】
2010113646.tif 000004
【図３】
2010113646.tif 000005
【図４】
2010113646.tif 000006
【図５】
2010113646.tif 000007
【図６】
2010113646.tif 000008
【図７】
2010113646.tif 000009
【図８】
2010113646.tif 000010
【図９】
2010113646.tif 000011
【図１０】
2010113646.tif 000012